(57)【要約】【課題】従来にはなかった構造で見た目に新しく遊技者にこれまでにない興趣を与えるパチンコ遊技機用入賞装置を提供する。【解決手段】大入賞装置１０の閉鎖時に遊技盤３と平行になり、大入賞装置１０の開放時に下部を遊技盤３の奥に傾斜させて開口部１０１を出現させる開放扉１０２と、開放扉１０２の前方であってガラス扉２の内側位置に回動自在に配設された誘導部材１０３とを備え、大入賞装置１０の開放時に開放扉１０２の下部を遊技盤３の奥に傾斜させて開口部１０１を出現させると同時に誘導部材１０３の下部も遊技盤３の方向に傾斜させることで遊技盤３上を流下する玉を開口部１０１へ誘導する。【選択図】図６
2006346262.tif 000002
【特許請求の範囲】
【請求項１】
パチンコ遊技機の遊技盤上に開閉自在に配設されたパチンコ遊技機用入賞装置であって、
玉を受入可能な開口部と、
前記開口部に上端部を軸として回動自在に配設された開放扉と、
前記開放扉の前方位置に玉を通過させる間隔を保って上端部を軸として回動自在に配設された誘導部材と、
前記開放扉の開放時に前記開放扉の下部を前記遊技盤の奥に傾斜させて前記開口部を出現させると同時に前記誘導部材の下部を前記遊技盤方向に傾斜させることで前記遊技盤上を流下する玉を前記誘導部材により前記開口部へ誘導させる連動機構と
を有することを特徴とするパチンコ遊技機用入賞装置。
【請求項２】
パチンコ遊技機の釘の植設された遊技盤上に開閉自在に配設されたパチンコ遊技機用入賞装置であって、
玉を受入可能な開口部と、
前記遊技盤の役物装置を含む領域で前記遊技盤を分裂することにより形成され、前記開口部に上端部を軸として回動自在に配設され、下部を前記遊技盤の奥に傾斜させて前記開口部を出現させる開放扉と、
前記開放扉の前方位置に玉を通過させる間隔を保って前記開放扉に固定され、前記開放扉の開放時に下部を前記開口部に接近させることで前記遊技盤上を流下する玉を前記開口部へ誘導させる誘導部材と
を有することを特徴とするパチンコ遊技機用入賞装置。
【請求項３】
前記開口部が、前記遊技盤上の玉が流下する遊技領域の幅方向の全域を含むように形成されている請求項１または請求項２記載のパチンコ遊技機用入賞装置。
【請求項４】
請求項１ないし３のいずれか１項に記載のパチンコ遊技機用入賞装置を備えたパチンコ遊技機。
【発明の詳細な説明】
【技術分野】
【０００１】
本発明は、パチンコ遊技機用入賞装置およびパチンコ遊技機に関する。
【背景技術】
【０００２】
特許文献１には、いわゆるセブン機タイプのパチンコ遊技機に備えられる大入賞装置であるアタッカーの構造が開示され、特許文献２には、いわゆるハネ物タイプのパチンコ遊技機に備えられる大入賞装置である可動羽の構造が開示されている。
【０００３】
従来のパチンコ遊技機は、特許文献１および２に記載されているような大入賞装置が備えられており、遊技者がパチンコ遊技機を遊技する中で大当たり状態となったとき、大入賞装置を開放し、遊技盤に打ち込まれた玉の入賞率を上げることで、短時間で多量の玉を払い出すようになっている。
【特許文献１】特開２００１−０３７９８７号公報
【特許文献２】特開２００１−１０４５６３号公報
【発明の開示】
【発明が解決しようとする課題】
【０００４】
このように、従来のパチンコ遊技機には、セブン機，ハネ物などのいくつかの種類はあるものの、大入賞装置の構造は上記の２種類しかなく、新しいパチンコ遊技機が市場に導入されても、これらの大入賞装置に新しい興趣を期待することはできないのが現状である。
【０００５】
また、大当たり状態となって大入賞装置が開放されたとき、打ち込まれた玉のうちのほんの一部の玉（例えば、１／３〜１／２の玉）しか大入賞装置には入賞しないため、遊技者はもっと入賞率の高い大入賞装置を望んでいる。
【０００６】
本発明は、上記した背景をもとになされたもので、従来にはなかった構造で見た目に新しく遊技者にこれまでにない興趣を与えるパチンコ遊技機用入賞装置を提供することを課題とする。
【０００７】
また、本発明は、上記パチンコ遊技機用入賞装置を備えたパチンコ遊技機を提供することを課題とする。
【課題を解決するための手段及び発明の効果】
【０００８】
上記課題を解決するために、請求項１記載のパチンコ遊技機用入賞装置は、パチンコ遊技機の遊技盤上に開閉自在に配設されたパチンコ遊技機用入賞装置であって、玉を受入可能な開口部と、前記開口部に上端部を軸として回動自在に配設された開放扉と、前記開放扉の前方位置に玉を通過させる間隔を保って上端部を軸として回動自在に配設された誘導部材と、前記開放扉の開放時に前記開放扉の下部を前記遊技盤の奥に傾斜させて前記開口部を出現させると同時に前記誘導部材の下部を前記遊技盤方向に傾斜させることで前記遊技盤上を流下する玉を前記誘導部材により前記開口部へ誘導させる連動機構とを有することを特徴とする。請求項１記載のパチンコ遊技機用入賞装置によれば、開放扉の開放時に開放扉の下部を遊技盤の奥に傾斜させて開口部を出現させると同時に誘導部材の下部を遊技盤方向に傾斜させることで遊技盤上を流下する玉を誘導部材により開口部へ誘導させるようにしたことにより、従来にはなかった構造で見た目に新しく遊技者にこれまでにない興趣を与えるパチンコ遊技機用入賞装置を提供することができる。
【０００９】
請求項２記載のパチンコ遊技機用入賞装置は、パチンコ遊技機の釘の植設された遊技盤上に開閉自在に配設されたパチンコ遊技機用入賞装置であって、玉を受入可能な開口部と、前記遊技盤の役物装置を含む領域で前記遊技盤を分裂することにより形成され、前記開口部に上端部を軸として回動自在に配設され、下部を前記遊技盤の奥に傾斜させて前記開口部を出現させる開放扉と、前記開放扉の前方位置に玉を通過させる間隔を保って前記開放扉に固定され、前記開放扉の開放時に下部を前記開口部に接近させることで前記遊技盤上を流下する玉を前記開口部へ誘導させる誘導部材とを有することを特徴とする。請求項２記載のパチンコ遊技機用入賞装置によれば、開放扉を遊技盤の役物装置を含む領域で遊技盤を分裂することにより形成するとともに、開放扉の開放時に開放扉の下部を遊技盤の奥に傾斜させて開口部を出現させると同時に誘導部材の下部を開口部に接近させることで遊技盤上を流下する玉を誘導部材により開口部へ誘導させるようにしたことにより、従来にはなかった構造で見た目に新しく遊技者にこれまでにない興趣を与えるパチンコ遊技機用入賞装置を提供することができる。
【００１０】
請求項３記載のパチンコ遊技機用入賞装置は、請求項１または請求項２記載のパチンコ遊技機用入賞装置において、開口部が、前記遊技盤上の玉が流下する遊技領域の幅方向の全域を含むように形成されていることを特徴とする。請求項３記載のパチンコ遊技機用入賞装置によれば、大当たり時に遊技盤上の遊技領域を流下する全ての玉が入賞することになるので、遊技者にこれまでにない興趣を与えることができるとともに、最高の入賞率が実現されることによる最高の満足感を与えることもできる。
【００１１】
請求項４記載のパチンコ遊技機は、請求項１ないし３のいずれか１項に記載のパチンコ遊技機用入賞装置を備えることを特徴とする。請求項４記載のパチンコ遊技機によれば、上記効果を有するパチンコ遊技機用入賞装置を備えたパチンコ遊技機を構成することにより、遊技盤上の玉が流下する遊技領域の幅方向の全域を含むように開放する大入賞装置を提供することができ、大当たり時に遊技盤上の遊技領域を流下する全ての玉が入賞することになるので、遊技者にはこれまでにない興趣と、最高の入賞率が実現されることによる最高の満足感とを与えることができる。
【発明を実施するための最良の形態】
【００１２】
遊技者にこれまでにない興趣を与えるという目的を、玉を受入可能な開口部を開放する開放扉と、開放扉の前方位置に玉を通過させる間隔を保って配設された誘導部材とを連動させることによって実現した。
【００１３】
以下、本発明のパチンコ遊技機用入賞装置の実施の形態について、図面を参照して説明する。
【実施例１】
【００１４】
図１は、本発明の実施例１に係るパチンコ遊技機用入賞装置である大入賞装置１０の閉鎖時におけるパチンコ遊技機１を示す正面模式図である。図２は大入賞装置１０の閉鎖時の正面図、図３は図１中の大入賞装置１０の閉鎖時のＡ−Ａ断面図、図４は図１中の大入賞装置１０の閉鎖時のＢ−Ｂ断面図、図５は大入賞装置１０の閉鎖時の要部斜視図である。また、図６は図１中の大入賞装置１０の開放時のＡ−Ａ断面図、図７は図１中の大入賞装置１０の開放時のＢ−Ｂ断面図、図８は大入賞装置１０の開放時の要部斜視図である。
【００１５】
パチンコ遊技機１は、台枠に取り付けられた透明なガラス扉２と、台枠の内側に配置されてガラス扉２によって覆われる遊技盤３とを有する。遊技盤３の下方には、玉供給皿４および玉払出皿５が設けられている。玉払出皿５の右方（図１で見て）には、玉発射機構（図示せず）を操作するハンドル６が設けられている。また、遊技盤３の中央部には、役物装置７が設けられ、役物装置７内の中央に液晶式の図柄表示部８が配設されている。役物装置７の左斜め下方（図１で見て）には、通過ゲート９が設けられている。役物装置７の下方には、始動可変入賞口１３が設けられ、始動可変入賞口１３の下方には、特別図柄大当たりが発生したときに開放するアタッカーである大入賞装置１０が設けられている。大入賞装置１０の左右方向には、左右一対の第一入賞口１１および第二入賞口１２が設けられている。大入賞装置１０の下方には、玉を回収するためのアウト口１４が形成されている。
【００１６】
役物装置７は、図６に示すように、中央が高い山形状に形成された上面壁と、その上面壁の下端から垂直に下方に延びた側面壁とを有し前面が開口して前後方向に延びた箱形状の１つのハウジング（筐体）で構成され、遊技盤３の中央部に取り付けられている。役物装置７の下部には、波形状をなしたステージ面が設けられ、このステージ面は、後方から前方に向かって、前方が低い２段の階段面となっている。各階段面は、その波形状が互い違いに重ならないように形成されて配置されている。
【００１７】
図柄表示部８には、中央に３桁（複数桁）のアラビア数字等のキャラクタにより構成された特別図柄が表示され、右下に○×等の２桁のマークにより構成された普通図柄が表示され、普通図柄の左側に後で説明する保留玉記憶領域に記憶されている保留玉の数に対応した図柄が表示されるようになっている。
【００１８】
通過ゲート９は、賞球がないゲートであり、このゲートを玉が通過すると、普通図柄の抽選処理が行われるようになっている。
【００１９】
第１入賞口１１および第２入賞口１２は、通常の入賞口であり、玉が入賞すると、数個の賞球の払出が行われるものである。
【００２０】
始動可変入賞口１３は、入賞口の両側に羽根部材１３ａ,１３ａが揺動可能に設けられ、動作時には左右に開く可変式の入賞口として構成されている。始動可変入賞口１３に玉が入賞すると、数個の賞球の払出が行われ、特別図柄の抽選処理が行われるようになっている。
【００２１】
大入賞装置１０は、閉鎖状態と開放状態とを呈する可変入賞口であり、遊技盤３の盤面上の中央下端寄りに配設されている。大入賞装置１０は、玉を受入可能な開口部（玉通過口）１０１と、開口部１０１を塞ぐ板状に形成され、開口部１０１に上端部を軸にして回動可能に設けられた開放扉１０２とを備える。開放扉１０２は、開口部１０１を閉鎖した状態のときに、遊技盤３の盤面とほぼ面一となるようになっている。開放扉１０２は、図６に示すように、上端部を軸にして前後方向（パチンコ遊技機１のガラス扉２側を前方側、台の裏側にあたる側を後方側としたときの前後方向）に下部を傾斜して開放状態となったときに、開口部１０１を出現させる。開口部１０１内の所定箇所には、大入賞装置１０への入賞を検出する大入賞検出器１１１が設けられている。
【００２２】
図３に示すように、閉鎖状態にある開放扉１０２の前方であってガラス扉２の内側位置に透明アクリル板等でなる誘導部材１０３が設けられている。開放扉１０２および誘導部材１０３の上端部は、図４および図５に示すように、一対の連結部材１０４，１０４の基端部および先端部にそれぞれ回動自在に枢着されている。開放扉１０２および誘導部材１０３の下端部は、一対の連結部材１０５，１０５の基端部および先端部にそれぞれ回動自在に枢着されている。開放扉１０２の下端部には、連結部材１０５，１０５を貫通してピン１０２ａ，１０２ａが植設されており、同ピン１０２ａ，１０２ａが規制部材１０６，１０６に係合されることにより開放扉１０２を開口部１０１を閉鎖する垂直位置に規制している。開放扉１０２の下端部、この例では前面側から見て右側の下端部が腕部１０２ｂとして後方に突設されており、その後端部にピン１０２ｃが植設されている。ピン１０２ｃには、一端が本体（図示せず）に固着された緊縮性のスプリング１０８の他端が係着されている。また、ピン１０２ｃは、作動棹１０７の前端部に穿設された長孔１０７ａに遊嵌されている。作動棹１０７の後端部には、作動ピン１０７ｂが植設されており、作動ピン１０７ｂは、大入賞ソレノイド１０９のプランジャに連結されている。
【００２３】
なお、遊技盤３の裏面には基板類が配設され、基板類の中の主制御基板には、ＣＰＵ（Central Processing Unit），ＲＯＭ（Read Only Memory），ＲＡＭ（Random Access
Memory），Ｉ／Ｏ（Input/Output）等を含む主制御回路が搭載されている。主制御回路は、ＲＯＭに格納された制御プログラムにより、パチンコ遊技機１の全体の制御を司る。
【００２４】
次に、このように構成された実施例１に係るパチンコ遊技機用入賞装置である大入賞装置１０の動作について説明する。
【００２５】
パチンコ遊技機１への電源投入後、玉供給皿４に準備された玉は、ハンドル６を含んで構成される玉発射機構（図示せず）によって遊技盤３に向けて発射される。遊技盤３に達した玉は、遊技盤３の盤面上を流下する。遊技盤３上の玉が流下する領域を、特に遊技領域という。玉が流下しない役物装置７および図柄表示部８の配設領域は、遊技領域でないものとする。
【００２６】
通過ゲート９で玉の通過を検知すると、通過検知信号が主制御回路に伝送される。通過ゲート９からの通過検知信号が入力されたタイミングに応じて、主制御回路は、普通図柄抽選用カウンタ（図示せず）から乱数値（カウンタ値）を取得し、その乱数値が普通図柄当たり乱数に一致するか否かを判定することにより普通図柄の抽選を行う。普通図柄の抽選結果は、ＲＡＭに割り当てられた普通図柄用保留玉記憶領域に一時的に記憶される。また、主制御回路は、図柄表示部８において新たな普通図柄の変動処理を行うことができるかどうかを確認してから、普通図柄の抽選結果を読み出し、図柄表示部８の右下にて普通図柄の変動処理を開始する。なお、新たな普通図柄の変動処理を行うことができない場合（先の普通図柄の抽選結果に係る普通図柄の変動処理が行われている場合、或いは後に説明する当たり処理が行われている場合）、普通図柄の抽選結果は、４個を上限として普通図柄用保留玉記憶領域に記憶される。
【００２７】
普通図柄の変動処理において、主制御回路は、読み出した普通図柄の抽選結果を受けて、表示すべき図柄を決定し、当該決定した図柄で停止する。普通図柄が当たり図柄で停止すると、当たり状態となる。なお、当たり図柄で停止する確率（当たり確率）は、常に一定であり、例えば９／１０に設定されている。当たり状態になると、主制御回路は、始動可変入賞口１３を開放する当たり処理を開始する。
【００２８】
具体的には、主制御回路は、確変（確率変動）状態が発生していない通常状態においては、始動可変入賞口１３を、所定の開放時間（例えば０．２秒間）だけ開放する。一方、確変状態においては、主制御回路は、始動可変入賞口１３を、別の所定の開放時間（例えば５秒間）だけ開放する。すなわち、主制御回路からの制御信号により、始動可変入賞口１３の羽根部材１３ａ,１３ａが開放状態となり、始動可変入賞口１３への玉の入賞率が高まるとともに、上記開放時間経過後、閉鎖状態となり、開放状態と比べて入賞率が低くなる。
【００２９】
他方、始動可変入賞口１３で玉の入賞を検知すると、入賞検知信号が主制御回路に伝送される。始動可変入賞口１３からの入賞検知信号が入力されたタイミングに応じて、主制御回路は、特別図柄抽選用カウンタ（図示せず）から乱数値（カウンタ値）を取得し、その乱数値が特別図柄大当たり乱数に一致するか否かを判定することにより特別図柄の抽選を行う。特別図柄の抽選結果は、ＲＡＭに割り当てられた特別図柄用保留玉記憶領域に一時的に記憶される。また、主制御回路は、図柄表示部８において新たな特別図柄の変動処理を行うことができるかどうかを確認してから、特別図柄の抽選結果を読み出し、図柄表示部８の中央にて特別図柄の変動処理を開始する。なお、新たな特別図柄の変動処理を行うことができない場合（先の特別図柄の抽選結果に係る特別図柄の変動処理が行われている場合、或いは後に説明する大当たり処理が行われている場合）、特別図柄の抽選結果は、４個を上限として特別図柄用保留玉記憶領域に記憶される。
【００３０】
特別図柄の変動処理において、主制御回路は、読み出した特別図柄の抽選結果を受けて、表示すべき図柄を決定し、当該決定した図柄で停止する。特別図柄で大当たり図柄で停止すると、大当たり状態となる。なお、大当たり図柄で停止する確率（大当たり確率）は、通常状態では、例えば１／３９５、確変状態では、例えば１／５０に設定されている。また、大当たり図柄で停止した場合に、その大当たり図柄が通常大当たり図柄である確率は、例えば４／１０、確変大当たり図柄である確率は、例えば６／１０に設定されている。大当たり状態になると、主制御回路は、大入賞装置１０の開閉動作を所定回数繰り返す大当たり処理を開始する。
【００３１】
具体的には、主制御回路は、大入賞ソレノイド１０９を駆動する。すると、図７および図８に示すように、大入賞ソレノイド１０９のプランジャが突出することにより、作動棹１０７がスプリング１０８の緊縮弾力に抗してピン１０２ｃを後方に引っ張り、開放扉１０２が上端部を軸として左旋回（図７で見て）し、開放扉１０２が開口部１０１を開放する（図６参照）。このとき、開放扉１０２の左旋回に連動して、連結部材１０５，１０５も後方に引っ張られ、誘導部材１０３が上端部を軸として左旋回して、その下端部が遊技盤３方向に傾斜して開口部１０１の下端縁に沿う位置まで接近する（図６参照）。これにより、遊技盤３の盤面上を流下する玉は、誘導部材１０３により誘導されて、開口部１０１に入賞するようになる。
【００３２】
開口部１０１に入賞した玉は、大入賞装置１０内を通って大入賞検出器１１１に導かれる。大入賞検出器１１１での玉の入賞を検知すると、大入賞検知信号が主制御回路に伝送される。大入賞検出器１１１から伝送される大入賞検知信号に基づいて、主制御回路は、大入賞装置１０への最大入賞個数（例えば１０個）の玉の入賞が検知されたか否かを判定する。ここで、最大入賞個数（１０個）の玉の入賞が検知された場合、主制御回路は、大入賞装置１０を閉鎖する。
【００３３】
具体的には、主制御回路は、大入賞ソレノイド１０９を非駆動とする。すると、図４および図５に示すように、ピン１０２ｃに係着されたスプリング１０８の緊縮弾力により、開放扉１０２が上端部を軸として右旋回（図４で見て）し、開放扉１０２の下端部に連結部材１０５を貫通して植設されたピン１０２ａ，１０２ａが規制部材１０６，１０６に係合されて軸支され、開放扉１０２が開口部１０１を閉鎖する（図３参照）。このとき、開放扉１０２の右旋回に連動して、連結部材１０５，１０５も前方に引っ張られ、誘導部材１０３が上端部を軸として右旋回して、その下端部がガラス扉２に沿う起立位置まで復動する（図３参照）。これにより、遊技盤３の盤面上を流下する玉は、開放扉１０２によって閉鎖された開口部１０１に入賞することができなくなり、開放扉１０２と誘導部材１０３との間を流下していくようになる。
【００３４】
一方、最大入賞個数（１０個）の玉の入賞が検知されない場合、主制御回路は、大入賞装置１０の開放時間が最大開放時間（例えば２５秒間）を経過したか否かを判定する。ここで、大入賞装置１０の開放時間が最大開放時間（２５秒間）を経過した場合、主制御回路は、大入賞装置１０を閉鎖する。大入賞装置１０の閉鎖については、すでに詳述した。
【００３５】
このように、大入賞装置１０が１回開放されてから閉鎖するまでを１回のラウンドとし、主制御回路は、ラウンド数が最大ラウンド数（１５）に達するまで大入賞装置１０の開放動作と閉鎖動作を繰り返す。ラウンド数が最大ラウンド数に達した場合、主制御回路は、大当たり処理を終了する。なお、この大当たり処理の契機となった特別図柄が通常大当たり図柄であった場合はこのあと通常状態となり、確変大当たり図柄であった場合はこのあと確変状態となる。
【００３６】
本実施例１では、開放扉１０２の開放時に開放扉１０２の下部を遊技盤３の奥に傾斜させて開口部１０１を出現させると同時に誘導部材１０３の下部を遊技盤３方向に傾斜させることで遊技盤３上を流下する玉を誘導部材１０３により開口部１０１へ誘導させるようにしたことにより、従来にはなかった構造で見た目に新しく遊技者にこれまでにない興趣を与えることができる。
【実施例２】
【００３７】
図９は、本発明の実施例２に係るパチンコ遊技機用入賞装置である大入賞装置１０’の閉鎖時におけるパチンコ遊技機１の正面模式図である。図１０，図１１および図１２は、大入賞装置１０’の閉鎖時におけるパチンコ遊技機１のＡ−Ａ断面図，正面図および斜視図である。図１３は、大入賞装置１０’の開放時におけるパチンコ遊技機１の正面模式図である。図１４，図１５および図１６は、大入賞装置１０’の開放時におけるパチンコ遊技機１のＡ−Ａ断面図，正面図および斜視図である。さらに、図１７および図１８は、大入賞装置１０’の開放時の要部拡大正面図および要部拡大斜視図である。
【００３８】
大入賞装置１０’の開放扉３２は、遊技盤３の役物装置７を含む領域で遊技盤３を分裂することにより形成され、開口部（玉通過口）３３に上端部を軸として回動自在に配設され、遊技盤３の奥に傾斜させて開口部３３を出現させる。
【００３９】
大入賞装置１０’の開口部３３は、図１８に示すように、遊技盤３上の玉が流下する遊技領域の幅方向の全域を含むように形成されている。これに伴い、開放扉３２も、図１７に示すように、遊技盤３上の玉が流下する遊技領域の幅方向の全域を含むように形成されている。
【００４０】
図１０および図１４を参照すると、開放扉３２の前方位置にガラス扉２の内面に沿うように、透明アクリル板でなる誘導部材４２がアクリル板でなる補助部材４１を介して玉の通過する間隔を保つように開放扉３２に固定されている。また、遊技盤３の外周にはガイド４４が設けられ、遊技盤３の背面側には補給玉受け部４５および背面カバー４６が設けられている。さらに、ガラス扉２を保持する窓枠２１には、ランプ類１５が配設されている。
【００４１】
図１０および図１４では、遊技盤３の裏面に配設された基板類の図示は省略されている。基板類の中の主制御基板には、ＣＰＵ，ＲＯＭ，ＲＡＭ，Ｉ／Ｏ等を含む主制御回路が搭載されている。主制御回路は、ＲＯＭに格納された制御プログラムにより、パチンコ遊技機１の全体の制御を司る。
【００４２】
なお、その他の特に言及しない部材については、図１ないし図８に示した実施例１に係るパチンコ遊技機用入賞装置である大入賞装置１０における対応部材と同様に構成されているので、対応部材には同一符号を付して、それらの詳しい説明を割愛する。
【００４３】
次に、このように構成された実施例２に係るパチンコ遊技機用入賞装置である大入賞装置１０’の動作について、実施例１に係るパチンコ遊技機用入賞装置である大入賞装置１０の場合と異なる点を中心として簡単に説明する。
【００４４】
大入賞装置１０’の閉鎖時には、主制御回路は、図１０に示すように、開放扉３２を上端部を軸として下端部を右旋回（図１０で見て）させて遊技盤３と面一となるようにしている。このとき、誘導部材４２は、補助部材４１により開放扉３２と玉の通過する一定の間隔を保って、ガラス扉２の内面に沿う垂直位置となっている。このため、遊技盤３の盤面上を流下する玉は、開放扉３２と誘導部材４２との間に流れ込み、開放扉３２と誘導部材４２とによって誘導されて、さらに下方に流下することになる。
【００４５】
大入賞装置１０’の開放時には、主制御回路は、図１４に示すように、開放扉３２を上端部を軸として左旋回（図１４で見て）させて下端部を遊技盤３（開口部３３）の奥に後退させる。これにより、誘導部材４２も開放扉３２と一体的に回動して、誘導部材４２の下端部が開放扉３２の後退により出現した開口部３３の下端縁に接近する位置となる。このため、遊技盤３の盤面上を流下する玉は、開放扉３２と誘導部材４２との間に流れ込み、開放扉３２と誘導部材４２とによって誘導されて開口部３３に入賞することになる。開口部３３に入賞した玉は、遊技盤３の背面側に形成された玉回収路３４を通って大入賞検出器１１１に導かれる（図１７参照）。大入賞検出器１１１での玉の入賞を検知すると、大入賞検知信号が主制御回路に伝送される。
【００４６】
実施例２によれば、大入賞装置１０’（開放扉３２および開口部３３）が、遊技盤３上の玉が流下する遊技領域の幅方向の全域を含むように形成されているので、大当たり時に遊技盤３上の遊技領域を流下する全ての玉が入賞することになり、遊技者にこれまでにない興趣を与えることができるとともに、最高の入賞率が実現されることによる最高の満足感を与えることもできる。また、釘３１が植設されているとともに役物装置７を含む遊技盤３が分裂して形成された開放扉３２が上部を前方に傾斜させることにより開口部３３が出現するので、大当たり時に遊技盤３が割れて玉が遊技盤３に吸い込まれていくようなこれまでにない興趣を遊技者に与えることができる。
【００４７】
以上、本発明の各実施例を説明したが、これらはあくまでも例示にすぎず、本発明はこれらに限定されるものではなく、特許請求の範囲の趣旨を逸脱しない限りにおいて、当業者の知識に基づく種々の変更が可能である。
【００４８】
例えば、上記各実施例では、本発明のパチンコ遊技機用入賞装置を大入賞装置であるものとして説明したが、必ずしも大入賞装置である必要はなく、単なる入賞装置であっても本発明が同様に適用できることはいうまでもない。
【図面の簡単な説明】
【００４９】
【図１】本発明の実施例１に係るパチンコ遊技機用入賞装置である大入賞装置の閉鎖時におけるパチンコ遊技機の正面模式図。
【図２】図１中の大入賞装置の正面図。
【図３】図２の大入賞装置の閉鎖時のＡ−Ａ断面図。
【図４】図２の大入賞装置の閉鎖時のＢ−Ｂ断面図。
【図５】図２の大入賞装置の閉鎖時の要部斜視図。
【図６】図２の大入賞装置の開放時のＡ−Ａ断面図。
【図７】図２の大入賞装置の開放時のＢ−Ｂ断面図。
【図８】図２の大入賞装置の開放時の要部斜視図。
【図９】本発明の実施例２に係るパチンコ遊技機用入賞装置である大入賞装置の閉鎖時におけるパチンコ遊技機の正面模式図。
【図１０】図９中の大入賞装置の閉鎖時におけるパチンコ遊技機のＡ−Ａ断面図。
【図１１】図９中の大入賞装置の閉鎖時におけるパチンコ遊技機の要部正面図。
【図１２】図９中の大入賞装置の閉鎖時におけるパチンコ遊技機の要部斜視図。
【図１３】図９中の大入賞装置の開放時におけるパチンコ遊技機の正面模式図。
【図１４】図９中の大入賞装置の開放時におけるパチンコ遊技機のＡ−Ａ断面図。
【図１５】図９中の大入賞装置の開放時におけるパチンコ遊技機の要部正面図。
【図１６】図９中の大入賞装置の開放時におけるパチンコ遊技機の要部斜視図。
【図１７】図９中の大入賞装置の開放時の要部拡大正面図。
【図１８】図９中の大入賞装置の開放時の要部拡大斜視図。
【符号の説明】
【００５０】
１  パチンコ遊技機
２  ガラス扉
３  遊技盤
４  玉供給皿
５  玉払出皿
６  ハンドル
７  役物装置
８  図柄表示部
９  通過ゲート
１０，１０’  大入賞装置（パチンコ遊技機用入賞装置）
１１  第一入賞口
１２  第二入賞口
１３  始動可変入賞口
１４  アウト口
３２  開放扉
３３  開口部（玉通過口）
４１  補助部材
４２  誘導部材
１０１  開口部
１０２  開放扉
１０３  誘導部材
１０４  連結部材
１０５  連結部材
１０７  作動棹
１０８  スプリング
１０９  大入賞ソレノイド
【図１】
2006346262.tif 000003
【図２】
2006346262.tif 000004
【図３】
2006346262.tif 000005
【図４】
2006346262.tif 000006
【図５】
2006346262.tif 000007
【図６】
2006346262.tif 000008
【図７】
2006346262.tif 000009
【図８】
2006346262.tif 000010
【図９】
2006346262.tif 000011
【図１０】
2006346262.tif 000012
【図１１】
2006346262.tif 000013
【図１２】
2006346262.tif 000014
【図１３】
2006346262.tif 000015
【図１４】
2006346262.tif 000016
【図１５】
2006346262.tif 000017
【図１６】
2006346262.tif 000018
【図１７】
2006346262.tif 000019
【図１８】
2006346262.tif 000020